(57)【特許請求の範囲】
【請求項１】
中心軸線同士が互いに平行に位置する配置でケース（１）内に回転可能に支持されて各々リール（２）を嵌着される巻き取り側ハブ（３）および繰り出し側ハブ（４）と、
前記ケース内に前記巻き取り側ハブの軸端部に隣接して前記巻き取り側ハブと同軸に回転可能に支持されるとともに前記巻き取り側ハブに対しても回転可能とされた駆動プレート（５）と、
前記ケースの開口部（1c）にその開口部を覆う閉止位置とその開口部を開放する開放位置との間で往復移動可能に設けられたカバー（９）と、
前記カバーの往復移動を往復回動に変換して前記駆動プレートに伝達する伝動機構（10）と、
前記巻き取り側ハブの軸端部に結合されたラチェットギヤ（11）と、
前記駆動プレートに支持されて前記ラチェットギヤと弾性的に掛合する駆動用ラチェット爪（13）と、
前記駆動プレートに設けられたカム（5b）で駆動されて、そのカムが所定位置に位置する際に前記繰り出し側ハブの回転を止める制動機構（16）と、
前記巻き取り側ハブの巻き取り方向と逆の方向の回転を制止する逆転防止機構（17）と、
前記繰り出し側ハブに嵌着されたリールから繰り出されるクリーニングテープ（18）を前記ケースの前記開口部の内側を通して、前記巻き取り側ハブに嵌着されたリールへ案内するテープ案内構造（19）と、
を具えてなる、光コネクタ用クリーニング装置。
【請求項２】
前記伝動機構は、基部を前記カバーに結合されるとともに先端部を前記駆動プレートに結合された弾性細片（14）と、その弾性細片を湾曲させながら前記駆動プレートに沿わせて案内する案内部材（15）と、を具えることを特徴すとする、請求項１記載の光コネクタ用クリーニング装置。
【請求項３】
前記制動機構は、前記繰り出し側ハブの軸端部に結合されたギヤ（20）と、前記カムで駆動されてそのギヤと掛合する掛止片（21）と、を具えることを特徴すとする、請求項１または請求項２記載の光コネクタ用クリーニング装置。
【請求項４】
前記逆転制止機構は、前記ケースに支持されて前記ラチェットギヤと弾性的に掛合する制止用ラチェット爪（23）を具えることを特徴とする、請求項１から請求項３までの何れか記載の光コネクタ用クリーニング装置。
【発明の詳細な説明】
【０００１】
【発明の属する技術分野】
この発明は、光コネクタの接続作業の際に接続特性の劣化防止のためその光コネクタの先端面を拭いて清浄化するのに用いられるクリーニング装置に関するものである。
【０００２】
【従来の技術および発明が解決しようとする課題】
従来のかかるクリーニング装置としては、例えば特開平６−２４２３４７号公報中の図12〜図14に開示されたものや、同公報中の図１〜図11に開示されたものが知られており、上記図12〜図14に開示された前者のクリーニング装置は、中心軸線同士が互いに平行に位置する配置で直方体状のケース内に回転可能に支持された巻き取り側ハブおよび繰り出し側ハブと、それら巻き取り側ハブおよび繰り出し側ハブの軸端部にそれぞれ形成された外歯ラチェットギヤと、上記ケース内にその巻き取り側ハブの軸端部に隣接してその巻き取り側ハブと同軸に回転可能に支持されるとともにその巻き取り側ハブに対しても回転可能とされた駆動プレートと、その駆動プレートに支持されて上記巻き取り側ハブの外歯ラチェットギヤと弾性的に掛合する駆動用ラチェット爪と、上記駆動プレートに一体的に形成され、上記ケースの円弧状のレバー用開口部を通ってそのケース外に突出する駆動レバーと、を具えている。
【０００３】
さらに上記前者のクリーニング装置は、上記ケースのテープ用開口部にその開口部を覆う閉止位置とその開口部を開放する開放位置との間で往復移動可能に設けられたカバーと、そのカバーに突設されたスリット付き腕部材および上記駆動プレートに突設されて上記スリットに掛合するピンからなり上記駆動プレートの往復回動を往復直線移動に変換して上記カバーに伝達する伝動機構と、上記ケースにそれぞれ支持されて上記巻き取り側ハブおよび繰り出し側ハブの外歯ラチェットギヤとそれぞれ弾性的に掛合する二個の逆転防止用ラチェット爪と、上記繰り出し側ハブから繰り出されるクリーニングテープを上記ケースの上記テープ用開口部の内側を通して上記巻き取り側ハブへ案内するテープ案内構造と、を具えており、かかる構成により、駆動レバーの操作で巻き取り側ハブを回動させて、テープ用開口部のカバーを開放位置に移動させるとともに、その巻き取り側ハブの回動角度に対応するある程度の長さの未使用クリーニングテープを繰り出し側ハブ上からケースのテープ用開口部の内側に繰り出させてケース外に露出させ、光コネクタの先端部をその未使用クリーニングテープに擦り付けてクリーニングできるようにしている。
【０００４】
しかしながらかかる前者のクリーニング装置では、クリーニングテープが直接繰り出し側ハブおよび巻き取り側ハブ上に巻かれる構造とされていて、繰り出し側ハブ上のクリーニングテープが全て巻き取り側ハブ上に巻き取られてしまったらクリーニング装置全体が使い捨てされるように構成されていたため、資源の無駄使いになるという問題があり、またケースの円弧状のレバー用開口部を通ってケース外に突出する駆動レバーで巻き取り側ハブを回動させる構造とされているため、その常時開いているレバー用開口部からケース内部に塵埃が入ってクリーニングテープが本来の光コネクタのクリーニングに使用する前から汚れてしまい易いという問題もあり、さらに、光コネクタをクリーニングテープに擦り付けながら巻き取り側ハブ方向へ移動させると駆動レバーを操作しなくてもクリーニングテープが引きずられて繰り出し側ハブから繰り出されて弛んでしまい、駆動レバーを操作してその弛みをとると弛んだ分のクリーニングテープが未使用のまま巻き取られて無駄になってしまうという問題もある。
【０００５】
また、上記図１〜図11に開示された後者のクリーニング装置は、上記前者のクリーニング装置と同様のケースを具えるが、繰り出し側ハブおよび巻き取り側ハブに繰り出し側リールおよび巻き取り側リールがそれぞれ嵌着されるとともに、巻き取り側リールが軸方向に二分割可能とされ、さらに巻き取り側ハブの外歯ラチェットギヤの半径方向内方に内歯ラチェットギヤが設けられていて、駆動プレートに支持された駆動用ラチェット爪がその巻き取り側ハブの内歯ラチェットギヤと弾性的に掛合している点で上記前者のクリーニング装置と異なっており、これにより、巻き取り側リールが軸方向に二分割可能とされているので繰り出し側リール上のクリーニングテープが全て巻き取り側リール上に巻き取られてしまったらその巻き取り側リールを分割して使用済みのクリーニングテープをそこから外すとともに、空になった繰り出し側リールを未使用クリーニングテープが巻かれた繰り出し側リールに交換してその未使用クリーニングテープをテープ案内構造に通し、分割状態から元に戻した巻き取り側リールに繋ぐことで、クリーニング装置が再利用可能とされている。
【０００６】
しかしながらかかる後者のクリーニング装置では、二分割可能な巻き取り側リールが複雑な構造になって製造コストが嵩むという新たな問題があるとともに、依然としてケースの円弧状のレバー用開口部を通ってケース外に突出する駆動レバーで巻き取り側ハブを回動させる構造とされているため、その常時開いているレバー用開口部からケース内部に塵埃が入ってクリーニングテープが本来の光コネクタのクリーニングに使用する前から汚れてしまい易いという問題と、光コネクタをクリーニングテープに擦り付けながら巻き取り側ハブ方向へ移動させると駆動レバーを操作しなくてもクリーニングテープが引きずられて繰り出し側ハブから繰り出されて弛んでしまい、弛んだ分のクリーニングテープが未使用のまま巻き取られて無駄になってしまうという問題が残っている。
【０００７】
【課題を解決するための手段およびその作用・効果】
この発明は、上記課題を有利に解決したクリーニング装置を提供することを目的とするものであり、この発明の光コネクタ用クリーニング装置は、中心軸線同士が互いに平行に位置する配置でケース内に回転可能に支持されて各々リールを嵌着される巻き取り側ハブおよび繰り出し側ハブと、前記ケース内に前記巻き取り側ハブの軸端部に隣接して前記巻き取り側ハブと同軸に回転可能に支持されるとともに前記巻き取り側ハブに対しても回転可能とされた駆動プレートと、前記ケースの開口部にその開口部を覆う閉止位置とその開口部を開放する開放位置との間で往復移動可能に設けられたカバーと、前記カバーの往復移動を往復回動に変換して前記駆動プレートに伝達する伝動機構と、前記巻き取り側ハブの軸端部に結合されたラチェットギヤと、前記駆動プレートに支持されて前記ラチェットギヤと弾性的に掛合する駆動用ラチェット爪と、前記駆動プレートに設けられたカムで駆動されて、そのカムが所定位置に位置する際に前記繰り出し側ハブの回転を止める制動機構と、前記巻き取り側ハブの巻き取り方向と逆の方向の回転を制止する逆転防止機構と、前記繰り出し側ハブに嵌着されたリールから繰り出されるクリーニングテープを前記ケースの前記開口部の内側を通して、前記巻き取り側ハブに嵌着されたリールへ案内するテープ案内構造と、を具えてなるものである。
【０００８】
かかるクリーニング装置にあっては、ケースの開口部に設けたカバーを操作して閉止位置から開放位置へ移動させると、伝動機構がそのカバーの移動を回動に変換して駆動プレートに伝達し、それにより駆動プレートが所定角度回動して、その駆動プレートに支持された駆動用ラチェット爪が、巻き取り側ハブの軸端部に結合されたラチェットギヤひいてはその巻き取り側ハブに嵌着されたリールを巻き取り方向へ所定角度回動させ、クリーニングテープを繰り出し側ハブに嵌着されたリール上からテープ案内構造による案内下で、ある程度の長さだけケースの開口部の内側に繰り出させてケース外へ露出させ、光コネクタの先端部をその未使用クリーニングテープに擦り付けてクリーニングできるようにする。
【０００９】
そしてそのカバーが開放位置へ移動したテープ露出状態では、上記所定角度回動した駆動プレートのカムによって駆動された制動機構が繰り出し側ハブの回転を止めさせるとともに、逆転防止機構が巻き取り側ハブの巻き取り方向と逆の方向の回転を制止するので、露出させたクリーニングテープに光コネクタを擦り付けて巻き取り側ハブと繰り出し側ハブとの何れの方向へ移動させてもクリーニングテープが引きずられて弛むことがない。
【００１０】
しかして光コネクタのクリーニングを行った後、カバーを操作して上記と逆に開放位置から閉止位置へ移動させると、伝動機構がそのカバーの移動を回動に変換して駆動プレートに伝達し、それにより駆動プレートが所定角度回動して、その駆動プレートに支持された駆動用ラチェット爪が、巻き取り側ハブの軸端部に結合されたラチェットギヤ上を巻き取り方向と逆の方向へ戻り摺動し、その間、巻き取り側ハブがその駆動用ラチェット爪に引きずられて巻き取り方向と逆の方向へ回転するのを逆転防止機構が制止する。
【００１１】
従ってこの発明のクリーニング装置によれば、巻き取り側ハブと繰り出し側ハブとにそれぞれリールが嵌着されていることから、互いに同一の二個のリールを使用して、繰り出し側ハブに嵌着されたリール上から全てのクリーニングケープが繰り出されて巻き取り側ハブに嵌着されたリール上に移ったら両リールをハブから外し、繰り出し側ハブに嵌着されていたリールを巻き取り側ハブに嵌着するとともに、未使用クリーニングケープが巻かれたリールを繰り出し側ハブに嵌着することでクリーニング装置を再利用できるので、巻き取り側リールに二分割可能のものでなく通常の一体のリールを用いてクリーニング装置を再利用可能とし得て、クリーニング装置を安価なものとすることができる。
【００１２】
しかもこの発明のクリーニング装置によれば、カバーを往復移動操作することで巻き取り側ハブを回動させて未使用クリーニングテープをリール上から繰り出させることから、ケースにレバー用開口部を設ける必要がないので、常時開いているレバー用開口部からケース内部に塵埃が入ってしまうということがなく、それゆえ、クリーニングテープが本来の光コネクタのクリーニングに使用する前にケース内で汚れてしまうのを有効に防止することができる。
【００１３】
さらにこの発明のクリーニング装置によれば、制動機構が繰り出し側ハブの回転を止めさせるとともに、逆転防止機構が巻き取り側ハブの巻き取り方向と逆の方向の回転を制止することで、露出させたクリーニングテープに光コネクタを擦り付けて巻き取り側ハブと繰り出し側ハブとの何れの方向へ移動させてもクリーニングテープが引きずられて弛むことがないので、弛んだ分のクリーニングテープが未使用のまま巻き取られて無駄になってしまうのを有効に防止することができる。
【００１４】
なお、この発明のクリーニング装置における前記伝動機構は、基部を前記カバーに結合されるとともに先端部を前記駆動プレートに結合された弾性細片と、その弾性細片を湾曲させながら前記駆動プレートに沿わせて案内する案内部材と、を具えるものであっても良く、かかる伝動機構によれば、簡易かつ軽量な構造でカバーの移動を回動に変換して駆動プレートに伝達し得るので、クリーニング装置を軽量かつ安価なものとすることができる。
【００１５】
また、この発明のクリーニング装置における前記制動機構は、前記繰り出し側ハブの軸端部に結合されたギヤと、前記カムで駆動されてそのギヤと掛合する掛止片と、を具えるものであっても良く、かかる制動機構によれば、繰り出し側ハブを確実に制動し得て、クリーニングテープの弛みの発生を有効に防止することができる。
【００１６】
さらに、この発明のクリーニング装置における前記逆転制止機構は、前記ケースに支持されて前記ラチェットギヤと弾性的に掛合する制止用ラチェット爪を具えるものであっても良く、かかる逆転制止機構によれば、巻き取り側ハブの駆動用のラチェットギヤを逆転制止用にも併用し得るので、より安価にクリーニングテープの弛みの発生を防止することができる。
【００１７】
【発明の実施の形態】
以下に、この発明の実施の形態を実施例によって、図面に基づき詳細に説明する。ここに、図１は、この発明の光コネクタ用クリーニング装置の一実施例を示す透視図、図２（ａ）は、その実施例のクリーニング装置の内部構造を示す横断面図、図２（ｂ）は、その実施例のクリーニング装置を図２（ａ）中Ｂ−Ｂ線に沿う断面で示す縦断面図、図２（ｃ）は、その実施例のクリーニング装置を図２（ａ）中矢印Ｃで示す方向から見て示す側面図、そして図３は、その実施例のクリーニング装置の構成を示す分解斜視図である。
【００１８】
この実施例のクリーニング装置は、図１および図３から明らかなように、平坦な直方体状をなすとともに二つのケース半部1a, 1bに二分割可能とされたケース１と、中心軸線同士が互いに平行に位置する配置でそのケース１内に回転可能に支持されて各々同一のリール２を嵌着されるとともにその外周面の突条とリール２の内周面の溝部との掛合によりリール２の空回りを防止する巻き取り側ハブ３および繰り出し側ハブ４と、ケース１内に巻き取り側ハブ３の軸端部に隣接してその巻き取り側ハブ３と同軸に回転可能に支持されるとともにその巻き取り側ハブ３に対しても回転可能とされた駆動プレート５とを具えている。
【００１９】
ここで、巻き取り側ハブ３および繰り出し側ハブ４は、各々ケース半部1a, 1bに両端部をネジ６で固定された二本の支持軸７によってそれぞれ回転可能に支持されており、これにより二つのケース半部1a, 1bは、それら二本の支持軸７とネジ６とを介して互いに分離可能に結合されてケース１を構成されている。また、繰り出し側ハブ４と支持軸７との間にはスプリング８が介挿されており、このスプリング８は、繰り出し側ハブ４をケース半部1aへ向けて常時附勢してそのケース半部1aの内面に摺接させることで、後述するカバーが閉止位置にある間も繰り出し側ハブ４の回転をある程度制動して、搬送中にケース１に振動が加わった場合等における後述するクリーニングテープの弛みの発生を防止している。
【００２０】
また、この実施例のクリーニング装置は、ケース１の図２（ａ）では上方に向く端面に形成された長方形の開口部1cに、その開口部1cを覆う図１，図２（ａ）および（ｃ）に示す閉止位置とその開口部1cを開放する図示しない開放位置との間で図２（ａ）中矢印Ｓで示すように往復摺動可能にケース１に嵌装されたカバー９と、そのカバー９の往復摺動を往復回動に変換して駆動プレート５に伝達する伝動機構10と、巻き取り側ハブ３の軸端部に一体的に形成されたラチェットギヤ11と、駆動プレート５に揺動自在に枢支されるとともにスプリング12で常時附勢されてラチェットギヤ11と弾性的に掛合する駆動用ラチェット爪13とを具えている。
【００２１】
ここで、伝動機構10は、基部14a をカバー９に結合されるとともに先端部14bを駆動プレート５の孔5aに嵌合された弾性細片14と、ケース半部1aの内面に一体的に形成されてその弾性細片14と摺接することにより、その弾性細片14を湾曲させながら駆動プレート５の周囲に沿わせて案内する凸形状の案内部材15とを有している。
【００２２】
さらに、この実施例のクリーニング装置は、駆動プレート５の外周部分に形成されたカム5bで駆動されて、そのカム5bが所定位置に位置する際に繰り出し側ハブ４の回転を止める制動機構16と、巻き取り側ハブ３の巻き取り方向と逆の方向の回転を制止する逆転防止機構17と、繰り出し側ハブ４に嵌着されたリール２から繰り出されるクリーニングテープ18をケース１の開口部1cの内側を通して、巻き取り側ハブ３に嵌着されたリール２へ案内するテープ案内構造19とを具えている。
【００２３】
ここで、制動機構16は、繰り出し側ハブ４の軸端部に一体的に形成されたギヤ20と、ケース半部1aに揺動自在に枢支されるとともに、カバー９が上記開放位置に位置する時の回動位置に駆動プレート５が回動すると駆動プレート５のカム5bで駆動されてギヤ20へ向けて揺動しギヤ20と強く掛合する略Ｕ字状の掛止片21とを有し、また逆転防止機構17は、ケース半部1aに揺動自在に枢支されるとともにスプリング22で常時附勢されてラチェットギヤ11と弾性的に掛合する制止用ラチェット爪23とを有している。
【００２４】
そしてテープ案内構造19は、ケース半部1aの内面に一体的に形成されてクリーニングテープ18と摺接することにより、繰り出し側ハブ４に嵌着されたリール２上に巻かれていてそのリール２から繰り出される未使用のクリーニングテープ18をケース１の開口部1cの内側に向かわせるガイドポスト24と、ケース１の開口部1cの内側に位置して、ガイドポスト24に案内されたクリーニングテープ18と摺接することにより、そのクリーニングテープ18に光コネクタが擦り付けられる際にクリーニングテープ18を弾性的にバックアップするとともにその開口部1cの内側の位置からクリーニングテープ18を、巻き取り側ハブ３に嵌着されたリール２へ案内する弾性パッド25と、これもケース半部1aの内面に一体的に形成されて、弾性パッド25をケース１の開口部1cの内側の位置に支持するパッド支持ブラケット26とを有している。
【００２５】
なお、この実施例のクリーニング装置用のクリーニングテープ18としては、平均0.16デニールもしくは0.23デニールの、ポリエステルおよびナイロンの少なくとも一方からなる概略扇形断面形状の糸を用いて織り上げた、汚れや油脂分等の拭き取りが容易なクリーニングクロスからなるテープを使用するのが好ましく、上記のようなクリーニングクロス用糸としては、例えば帝人株式会社が製造および販売する「ミクロスター（商品名）」が知られている。
【００２６】
かかる実施例のクリーニング装置にあっては、当該装置の使用者が、ケース１の開口部1cに設けたカバー９を操作してカバー９を閉止位置から開放位置へ移動させると、伝動機構10の弾性細片14が案内部材15と摺接して駆動プレート５に沿って湾曲しながら移動することでそのカバー９の移動を回動に変換して駆動プレート５に伝達し、それにより駆動プレート５が所定角度、この実施例では概略90度回動して、その駆動プレート５に支持された駆動用ラチェット爪13が、巻き取り側ハブ３の軸端部に形成されたラチェットギヤ11ひいてはその巻き取り側ハブ３に嵌着されたリール２を巻き取り方向へ上記所定角度回動させ、繰り出し側ハブ４に嵌着されたリール２上の未使用のクリーニングテープ18を、そのリール２上からテープ案内構造19による案内下で、ある程度の長さだけケース１の開口部1cの内側に繰り出させてケース１外へ露出させ、光コネクタの先端部をその未使用のクリーニングテープ18に擦り付けてクリーニングできるようにする。
【００２７】
そしてそのカバー９が開放位置へ移動したテープ露出状態では、上記所定角度回動した駆動プレート５のカム5bによって駆動された制動機構16が繰り出し側ハブ４の回転を止めさせるとともに、逆転防止機構17が巻き取り側ハブ３の巻き取り方向と逆の方向の回転を制止するので、露出させたクリーニングテープ18に光コネクタを擦り付けて巻き取り側ハブ３と繰り出し側ハブ４との何れの方向へ移動させてもクリーニングテープ18が引きずられて弛むことがない。
【００２８】
しかして光コネクタのクリーニングを行った後、当該装置の使用者がカバー９を操作して上記と逆に開放位置から閉止位置へカバー９を移動させると、伝動機構10の弾性細片14が真っ直ぐな状態に戻りながら移動することでそのカバー９の移動を回動に変換して駆動プレート５に伝達し、それにより駆動プレート５が上記と逆の方向へ所定角度回動して、その駆動プレート５に支持された駆動用ラチェット爪13が、巻き取り側ハブ３の軸端部に形成されたラチェットギヤ11上を巻き取り方向と逆の方向へ戻り摺動し、その間、巻き取り側ハブ３がその駆動用ラチェット爪13に引きずられて巻き取り方向と逆の方向へ回転するのを逆転防止機構17が制止する。
【００２９】
従ってこの実施例のクリーニング装置によれば、巻き取り側ハブ３と繰り出し側ハブ４とにそれぞれリール２が嵌着されていることから、互いに同一の二個のリール２を使用して、繰り出し側ハブ４に嵌着されたリール２上から全てのクリーニングケープ18が繰り出されて巻き取り側ハブ３に嵌着されたリール２上に移ったら両リール２をハブ３，４から外し、繰り出し側ハブ４に嵌着されていたリール２を巻き取り側ハブ３に嵌着するとともに、未使用のクリーニングケープ18が巻かれたリール２を繰り出し側ハブ４に嵌着することでクリーニング装置を再利用できるので、巻き取り側リールに二分割可能のものでなく通常の一体のリール２を用いてクリーニング装置を再利用可能とし得て、クリーニング装置を安価なものとすることができる。
【００３０】
しかもこの実施例のクリーニング装置によれば、当該装置の使用者がカバー９を往復移動操作することで巻き取り側ハブ３を回動させて未使用のクリーニングテープ18をリール２上から繰り出させることから、ケース１にレバー用開口部を設ける必要がないので、常時開いているレバー用開口部からケース内部に塵埃が入ってしまうということがなく、それゆえ、クリーニングテープが本来の光コネクタのクリーニングに使用する前にケース内で汚れてしまうのを有効に防止することができる。
【００３１】
さらにこの実施例のクリーニング装置によれば、カバー９を開放位置に位置させた時に制動機構16が繰り出し側ハブ４の回転を止めさせるとともに、逆転防止機構17が巻き取り側ハブ３の巻き取り方向と逆の方向の回転を制止することで、露出させたクリーニングテープ18に光コネクタを擦り付けて巻き取り側ハブ３と繰り出し側ハブ４との何れの方向へ移動させてもクリーニングテープ18が引きずられて弛むことがないので、弛んだ分のクリーニングテープが未使用のまま巻き取られて無駄になってしまうのを有効に防止することができる。
【００３２】
しかもこの実施例のクリーニング装置の伝動機構10によれば、基部14a をカバー９に結合されるとともに先端部14b を駆動プレート５に結合された弾性細片14と、その弾性細片14を湾曲させながら駆動プレート５に沿わせて案内する案内部材15とを有する構成とされているので、簡易かつ軽量な構造でカバー９の移動を回動に変換して駆動プレート５に伝達し得て、クリーニング装置を軽量かつ安価なものとすることができる。
【００３３】
またこの実施例のクリーニング装置における制動機構16によれば、繰り出し側ハブ４の軸端部に形成されたギヤ20と、駆動プレート５のカム5bで駆動されてそのギヤ20と掛合する掛止片21とを有する構成とされているので、カバー９を開放位置に位置させた時に繰り出し側ハブ４を確実に制動し得て、クリーニングテープ18の弛みの発生を有効に防止することができる。なお、カバー９が閉止位置から移動開始して開放位置に到達するまでの間は、カム5bが掛止片21を押圧しないことから掛止片21がギヤ20の歯で押されて自由に揺動し得るので、繰り出し側ハブ４がスプリング８による軽い制動のみを受けつつ回動してクリーニングテープ18を繰り出すことができる。
【００３４】
さらにこの実施例のクリーニング装置における逆転制止機構17によれば、ケース１に支持されてラチェットギヤ11と弾性的に掛合する制止用ラチェット爪23を有する構成とされているので、巻き取り側ハブ３の駆動用のラチェットギヤ11を逆転制止用にも併用し得て、より安価にクリーニングテープの弛みの発生を防止することができる。
【００３５】
以上、図示例に基づき説明したが、この発明は上述の例に限定されるものでなく、例えば、ラチェットギヤ11やギヤ20はハブ３，４と別体に形成されてそれらのハブの一端部に結合されても良く、また駆動用ラチェット爪13は駆動プレート５に、そして制止用ラチェット爪23や掛止片21はケース１に、それぞれ弾性的に支持されていても良い。
【００３６】
さらに、この発明のクリーニング装置における伝動機構には、カバーに設けられたラックでピニオンを駆動して所要に応じてアイドルギヤを介して駆動プレートを回動させるラック・ピニオン機構を用いても良く、またこの発明のクリーニング装置における制動機構には、カム5bで駆動されて繰り出し側ハブ４に摺接するとともにカム5bで駆動されない間はスプリングで非摺接位置に戻されるブレーキシューを用いても良い。そしてこの発明のクリーニング装置における逆転制止機構には、巻き取り側ハブ３と支持軸６との間に介挿されたローラー等を有するワンウェイクラッチを用いても良い。
【図面の簡単な説明】
【図１】  この発明の光コネクタ用クリーニング装置の一実施例を示す透視図である。
【図２】  （ａ）は上記実施例のクリーニング装置の内部構造を示す横断面図、（ｂ）は上記実施例のクリーニング装置を（ａ）中Ｂ−Ｂ線に沿う断面で示す縦断面図、（ｃ）は上記実施例のクリーニング装置を（ａ）中矢印Ｃで示す方向から見て示す側面図である。
【図３】  上記実施例のクリーニング装置の構成を示す分解斜視図である。
【符号の説明】
１  ケース
1a, 1b  ケース半部
1c  開口部
２  リール
３  巻き取り側ハブ
４  繰り出し側ハブ
５  駆動プレート
5b  カム
９  カバー
10  伝動機構と、
11  ラチェットギヤ
13  駆動用ラチェット爪
14  弾性細片
15  案内部材
16  制動機構
17  逆転防止機構
18  クリーニングテープ
19  テープ案内構造
20  ギヤ
21  掛止片
【図１】
0004286409.tif 000002
【図２】
0004286409.tif 000003
【図３】
0004286409.tif 000004